(57)【要約】【課題】熱交換効率を向上させた冷却ユニットとそれを用いた電子機器を提供することを目的とする。【解決手段】第１環境用の第１吸気口１１、第１環境用の第１吐出口１２、第２環境用の第２吸気口１３、第２環境用の第２吐出口１４を有する本体ケース５ａと、この本体ケース５ａ内に設けられた熱交換器１７は、第１から第３のひし形板体１８〜２０を所定間隔離して積層したひし形柱状形状とし、この熱交換器１７の第１コーナ２１に隣接する一方の辺を第１環境用の第１流入口２２、他方の辺を第２環境用の第２流入口２３とし、この第１コーナ２１に対向する第２コーナ２４に隣接する辺で、第２流入口２３側の辺を第１環境用の第１流出口２５とし、第１流入口２２側の辺を第２環境用の第２流出口２６とし、第２コーナ２４を挟んで第１流出口２５側に第１送風機１５を配置し、第２コーナ２４を挟んで第２流出口側に第２送風機１６を配置した。【選択図】図５
2010251451.tif 000002
【特許請求の範囲】
【請求項１】
第１環境用の第１吸気口、第１環境用の第１吐出口、第２環境用の第２吸気口、第２環境用の第２吐出口を有する本体ケースと、この本体ケース内に設けられた熱交換器と、この熱交換器により前記第１吸気口から吸い込んだ第１環境の空気と、前記第２吸気口から吸い込んだ第２環境の空気とを熱交換させる第１、第２送風機とを備え、前記熱交換器は、第１、第２、第３のひし形板体を所定間隔離して積層したひし形柱状形状とし、この熱交換器の第１のコーナに隣接する一方の辺を第１環境用の第１流入口、他方の辺を第２環境用の第２流入口とし、この第１のコーナに対向する第２のコーナに隣接する辺で、前記第２流入口側の辺を第１環境用の第１流出口とし、前記第１流入口側の辺を第２環境用の第２流出口とし、前記第２のコーナを挟んで第１流出口側に前記第１送風機を配置し、前記第２のコーナを挟んで第２流出口側に前記第２送風機を配置した冷却ユニット。
【請求項２】
第１、第２コーナは、ひし形の鋭角とし、第２のコーナは、第１、第２送風機間に突入させた請求項１に記載の冷却ユニット。
【請求項３】
本体ケースの側面に第１吸気口、第１吐出口、本体ケースの底面に第２吸気口、第２吐出口を設けた請求項１または２に記載の冷却ユニット。
【請求項４】
熱交換器は、第１〜第３のひし形板体を所定間隔離して本体ケースの底面から上面方向へ積層したひし形柱状形状とした請求項３に記載の冷却ユニット。
【請求項５】
本体ケース内の第１、第２送風機間に仕切り板を設けた請求項１から４のいずれか一つに記載の冷却ユニット。
【請求項６】
第１、第２送風機は、仕切り板に対向する側に吸い込口を設けた請求項５に記載の冷却ユニット。
【請求項７】
熱交換器の第１流入口と第２流出口が接するコーナを第３コーナとし、この熱交換器の第２流入口と第１流出口が接するコーナを第４コーナとし、前記第３コーナと前記第４コーナは、本体ケースの前面と背面に対して、当接させた請求項１から６のいずれか一つに記載の冷却ユニット。
【請求項８】
請求項１から７のいずれかひとつに記載の冷却ユニットを、電子機器本体の上面に配置した電子機器。
【発明の詳細な説明】
【技術分野】
【０００１】
本発明は、冷却ユニットそれを用いた電子機器に関するものである。
【背景技術】
【０００２】
例えば、電子機器である携帯電話の基地局は、数十アンペア以上の電流が流れることから、ある点では発熱体とも表現される。つまり、冷却をすることがその動作を安定化させるために極めて重要なものとなる。このような携帯電話の基地局はその冷却を行う為に次のような構成をとっている。すなわち、この種の電子機器は、発熱体となる送・受信機を収納したキャビネットと、このキャビネットの開口部に装着された冷却ユニットとを備えた構成となっていた。そして、このキャビネットをビルの屋上に設置していた（例えば、特許文献１参照）。
【０００３】
また前記冷却ユニットは、電子機器のキャビネットの壁面に取り付けるために例えば下記のような構成となっていた。すなわち、ビルの屋上に設置したキャビネットの扉の部分に配置して、外気用の第１吸気口と第１吐出口および発熱体を収納したキャビネット内用の第２吸気口および第２吐出口有する本体ケースと、この本体ケース内に設けられた外気用の第１送風機およびキャビネット内用の第２送風機と、前記本体内において室外空気とキャビネット内空気との熱交換を行う熱交換器とを備えた構成となっていた。
【先行技術文献】
【特許文献】
【０００４】
【特許文献１】特開２０００−１６１８７５号公報
【発明の概要】
【発明が解決しようとする課題】
【０００５】
上記従来例の課題は、冷却ユニットが大きく、これにより電子機器も大きくなってしまうということであった。すなわち、従来の冷却ユニットに用いられる熱交換器は、矩形形状となっており、この構成で本体ケース内の側面に、前記熱交換器の各面を平行に配置し、本体ケースと熱交換器の間に空間をとり、風路を形成することとなるので、本体ケースが大きくなり、これが冷却ユニットの大型化を引き起こすものであった。
【０００６】
そこで本発明は、冷却ユニットおよび電子機器の小型化を図ることを目的とするものである。
【課題を解決するための手段】
【０００７】
そして、この目的を解決するために本発明は、第１環境用の第１吸気口、第１環境用の第１吐出口、第２環境用の第２吸気口、第２環境用の第２吐出口を有する本体ケースと、この本体ケース内に設けられた熱交換器と、この熱交換器により前記第１吸気口から吸い込んだ第１環境の空気と、前記第２吸気口から吸い込んだ第２環境の空気とを熱交換させる第１、第２の送風機とを備え、前記熱交換器は、第１、第２、第３のひし形板体を所定間隔離して積層したひし形柱状形状とし、この熱交換器の第１のコーナに隣接する一方の辺を第１環境用の第１流入口、他方の辺を第２環境用の第２流入口とし、この第１のコーナに対向する第２のコーナに隣接する辺で、前記第２流入口側の辺を第１環境用の第１流出口とし、前記第１流入口側の辺を第２環境用の第２流出口とし、前記第２のコーナを挟んで第１流出口側に前記第１送風機を配置し、前記第２のコーナを挟んで第２流出口側に前記第２送風機を配置したものであり、所期の目的を達成するものである。
【発明の効果】
【０００８】
以上のように本発明は、第１環境用の第１吸気口、第１環境用の第１吐出口、第２環境用の第２吸気口、第２環境用の第２吐出口を有する本体ケースと、この本体ケース内に設けられた熱交換器と、この熱交換器により前記第１吸気口から吸い込んだ第１環境の空気と、前記第２吸気口から吸い込んだ第２環境の空気とを熱交換させる第１、第２の送風機とを備え、前記熱交換器は、第１、第２、第３のひし形板体を所定間隔離して積層したひし形柱状形状とし、この熱交換器の第１のコーナに隣接する一方の辺を第１環境用の第１流入口、他方の辺を第２環境用の第２流入口とし、この第１のコーナに対向する第２のコーナに隣接する辺で、前記第２流入口側の辺を第１環境用の第１流出口とし、前記第１流入口側の辺を第２環境用の第２流出口とし、前記第２のコーナを挟んで第１流出口側に前記第１送風機を配置し、前記第２のコーナを挟んで第２流出口側に前記第２送風機を配置したものであり、熱交換器をひし形柱状形状として、第２のコーナを挟んで第１送風機と第２送風機を配置することで、熱交換器の第１流入口と第２流入口は、本体ケースのコーナ部分に位置させることができ、第１吸込口と第１流入口は本体ケースのコーナ部分に形成される空間を介して連通し、また、第２流入口と第２吸込口も同様に本体ケースのコーナ部分に形成される空間を介して連通することとなり、本体ケース側面とこれら第１、第２流入口を対向させて配置するものに比べて本体ケースを小型化にすることができる。そして小型化を図った冷却ユニットとそれを用いた電子機器を提供することができる。
【図面の簡単な説明】
【０００９】
【図１】本発明の実施の形態１の冷却ユニットとそれを用いた電子機器の設置状態を示す図
【図２】同冷却ユニットと電子機器の構成を示す図
【図３】同正面断面における構成を示す図
【図４】同冷却ユニットの熱交換器の構成を示す図
【図５】同冷却ユニットの平面断面における構成を示す図
【図６】同冷却ユニットの平面断面における別の構成を示す図
【発明を実施するための形態】
【００１０】
本発明の請求項１記載の発明は、第１環境用の吸気口、第１環境用の吐出口、第２環境用の吸気口、第２環境用の吐出口を有する本体ケースと、この本体ケース内に設けられた熱交換器と、この熱交換器により前記第１環境用の吸気口から吸い込んだ第１環境の空気と、前記第２環境用の吸気口から吸い込んだ第２環境の空気とを熱交換させる第１、第２の送風機とを備え、前記熱交換器は、第１、第２、第３のひし形板体を所定間隔離して積層したひし形柱状形状とし、この熱交換器の第１のコーナに隣接する一方の辺を第１環境用の第１流入口、他方の辺を第２環境用の第２流入口とし、この第１のコーナに対向する第２のコーナに隣接する辺で、前記第２流入口側の辺を第１環境用の第１流出口とし、前記第１流入口側の辺を第２環境用の第２流出口とし、前記第２のコーナを挟んで第１流出口側に前記第１送風機を配置し、前記第２のコーナを挟んで第２流出口側に前記第２送風機を配置したものであり、熱交換器をひし形柱状形状として、第２のコーナを挟んで第１送風機と第２送風機を配置することで、熱交換器の第１流入口と第２流入口は、本体ケースのコーナ部分に位置させることができ、第１吸込口と第１流入口は本体ケースのコーナ部分に形成される空間を介して連通し、また、第２流入口と第２吸込口も同様に本体ケースのコーナ部分に形成される空間を介して連通することとなり、本体ケース側面とこれら第１、第２流入口を対向させて配置するものに比べて本体ケースを小型化にすることができる。
【００１１】
また、本発明の請求項２記載の発明は、第１、第２のコーナは、ひし形の鋭角とし、第２コーナは、第１、第２送風機間に突入させたものであり、第１送風機と第２送風機は、送風機本体部分を、それぞれ、残りのコーナである第４コーナと第３コーナ側に向けて張り出して配置することができ、本体ケースを大きくしなくても、ファンの直径を大きくとることができる。
【００１２】
また、本発明の請求項３記載の発明は、本体ケースの側面に第１吸気口、第１吐出口、本体ケースの底面に第２吸気口、第２吐出口を設けたものであり、熱交換器の第１流入口と第１吸気口、第２流入口と第２吸気口はそれぞれ本体ケースのコーナ部分で連通することができ、また、第１送風機の吐出口は第１吐出口へ、第２送風機の吐出口は第２吐出口へ対向させて配置することができ、これらは本体ケース内に特別な風路を設けることをなくして連通させることができるため、本体ケースを小型化することができる。
【００１３】
また、本発明の請求項４記載の発明は、熱交換器は、第１〜第３のひし形板体を所定間隔離して本体ケースの底面から上面方向へ積層したひし形柱状形状としたものであり、  本体ケース内の第１流入口と第２流入口は、本体ケース側面と第１流入口および第２流入口との間の距離を確保しなくても本体ケースのコーナ部分に第１空間と第２空間と面する構成ができ、第１吸気口および第２吸気口から流入した空気は、層流をなして熱交換器へ流入することができ大きな風量を得るこができる。そして、本体ケースの小型化ができる。
【００１４】
また、本発明の請求項５記載の発明は、本体ケース内の第１、第２送風機間に仕切り板を設けたものであり、第１流出口から第１送風機吸込口へ第１風路が形成され第１流出口から流出した外気は、この仕切り板の一方の面に沿って案内され流れる。また、同時に第２送風機吸込口側にも第２風路が形成され、第２流出口から流出したキャビネット内の空気は仕切り板の他方の面に沿って案内され流れる。このように仕切り板を設けることで容易に第１風路と第２風路を形成することができ、本体ケース内にこれら第１、第２風路を形成するために、特別にスペースを設けることをしなくてもよく、本体ケースが大型化するのを防止することができる。
【００１５】
また、本発明の請求項６記載の発明は、第１、第２送風機は、仕切り板に対向する側に吸い込口を設けたものであり、仕切り板に沿って案内された第１風路の空気および第２風路の空気は対向する第１送風機吸込口および第２送風機吸込口から第１、第２送風機内へ吸い込まれるという作用を有し、第１送風機吸込口および第２送風機吸込口は、その吸込口部分に特別に空間を設けなくても第１風路および第２風路の空気を滑らかに吸い込むことができる。よって、本体ケースを小型化することができる。
【００１６】
また、本発明の請求項７記載の発明は、熱交換器の第１環境の第１流入口と第２環境用の第２流出口が接するコーナを第３コーナとし、この熱交換器の第２環境の第２流入口と第１環境用の第１流出口が接するコーナを第４コーナとし、前記第３コーナと前記第４コーナは、本体ケースの前面と背面に対して、当接させたものであり、本体ケース内に熱交換器の第１流出口と第２流出口から前記第１送風機吸込口および第２送風機吸込口へ連通する第１風路および第２風路が仕切り板によって、容易に形成されるという作用を有し、本体ケース内にこれら第１、第２風路を形成するために、特別にスペースを設けることをしなくてもよく、本体ケースが大型化するのを防止することができる。
【００１７】
また、本発明の請求項８記載の発明は、上記に記載の冷却ユニットを、電子機器本体の上面に配置したものであり、電子機器本体の上面の一定の大きさの本体内に小型化をした冷却ユニットを配置して、電子機器本体から発生する熱を効率よく外気（第１環境）へ排出することができる。
【００１８】
そして、本体ケースを小型化して、小型化を実現した冷却ユニットとそれを用いた電子機器を提供することができる。
【００１９】
以下、本発明の実施の形態について図面を参照しながら説明する。
【００２０】
（実施の形態１）
図１に示すように、電信柱１はその上部１ａに電子機器である携帯電話の基地局２が設けられている。この基地局２は、図２に示すように箱状のキャビネット３と、このキャビネット３内に設けた通信装置としての送・受信機４と、キャビネット３内の上方に設けた冷却ユニット５とにより構成されている。
【００２１】
このキャビネット３は、図２に示すように、側面上方にキャビネット３の天面から後述するガラリを略１個分下げた位置に外気（第１環境）に開口する吸込ガラリ６と吐出ガラリ７を有し、キャビネット３内に上方部と下方部を仕切る分離板８を設ける。また、分離板８には、キャビネット３内に開口する吸込連通口９と吐出連通口１０を備える。
【００２２】
前記冷却ユニット５は、図３に示すように、本体ケース５ａの正面および背面の内部に内側板を等脚台形形状に形成し、両内側板は天面側から底面側へ向けて、下広がりに傾斜させたものである。
【００２３】
また、本体ケース５ａの対向する側面には、それぞれその上部に第１吸気口１１と第１吐出口１２を設けている。そして、本体ケース５ａの対向する側面は、前記吸込ガラリ６と吐出ガラリ７の下部に延設したものである。
【００２４】
また、前記第１吸気口１１と第１吐出口１２は、吸込ガラリ６と吐出ガラリ７に対して、これらガラリの略一個分を上方にずらして配置するものである。
【００２５】
したがって、第１吸気口１１と吸込ガラリ６は、垂直方向に互いに位置をずらして配置するものである。同様に第１吐出口１２と吐出ガラリ７も垂直方向に互いに位置をずらして配置するものである。
【００２６】
また、本体ケース５ａ底面には、吸込連通口９と吐出連通口１０に連通する第２吸気口１３と第２吐出口１４を設ける。
【００２７】
また、この本体ケース５ａ内に設けられた外気（第１環境用）の第１送風機１５およびキャビネット３内（第２環境）用の第２送風機１６と、前記本体ケース５ａ内において外気（第１環境）とキャビネット３内（第２環境）の空気とを熱交換する熱交換器１７と、これら第１送風機１５および第２送風機１６を駆動する制御装置１７ａ（図示せず）とを備えている。
【００２８】
前記熱交換器１７は、図４に示すように、３枚以上のひし形板体１８を所定間隔離して積層したひし形柱状形状とし、この熱交換器１７の第１コーナ２１に隣接する一方の辺を第１環境用の第１流入口２２、他方の辺を第２環境用の第２流入口２３とし、この第１コーナ２１に対向する第２コーナ２４に隣接する辺で、第２流入口２３側の辺を第１環境用の第１流出口２５とし、第１流入口２２側の辺を第２環境用の第２流出口２６としたものである。
【００２９】
そして、この熱交換器１７は、３枚以上のひし形板体１８を所定間隔離して本体ケース５ａ内に配置し、底面側から上面方向へ積層させて配置する。
【００３０】
また、図４に示すように、熱交換器１７は、第１コーナ２１を本体ケース５ａの一方の側面に寄せて配置し、熱交換器１７の第１流入口２２と第２流出口２６が接するコーナを第３コーナ２７とし、この熱交換器１７の第２流入口２３と第１流出口２５が接するコーナを第４コーナ２８とし、前記第３コーナ２７と前記第４コーナ２８は、図５に示すように、本体ケース５ａの前面と背面に対して当接させて配置している。これによって、本体ケース５ａのコーナ部分には、第１流入口２２と第２流入口２３を開口させる空間として第１空間２１ａと第２空間２１ｂを形成する。
【００３１】
また、熱交換器１７の第２コーナ２４を挟んで、第１流出口２５側に第１送風機１５を配置し、前記第２コーナ２４を挟んで第２環境用の流出口側に第２送風機１６を配置したものである。また、第１送風機１５は第２送風機１６に対して、取り付け位置を下方に配置するものである。
【００３２】
また、第１送風機１５、第２送風機１６間には、仕切り板３０を第２コーナ２４からこの第２コーナ２４が対向する側面へ向けて延設し、第１送風機１５、第２送風機１６は、仕切り板３０に対向する側に第１送風機吸込口３１、第２送風機吸込口３２を設ける。
【００３３】
そして、第１送風機１５と第２送風機１６は、送風機本体部分を、それぞれ、熱交換器１７の第４コーナ２８と第３コーナ２７側に向けて張り出して配置することで、第１流出口２５から第１送風機吸込口３１へ連通する第１風路３３と第２流出口２６から第２送風機吸込口３２へ連通する第２風路３４が熱交換器１７と仕切り板３０によって形成される。
【００３４】
特に、図６に示すように前記熱交換器１７の第１コーナ２１、第２コーナ２４は、ひし形の鋭角とし、第２コーナ２４は、第１送風機１５、第２送風機１６間に突入させたものである。
【００３５】
上記の構成により、熱交換器１７をひし形柱状形状として、第２コーナ２４を挟んで第１送風機１５と第２送風機１６を配置することで、熱交換器１７の第１流入口２２と第２流入口２３は、本体ケース５ａのコーナ部分に位置させることができ、第１吸気口１１と第１流入口２２は本体ケース５ａのコーナ部分に形成される第１空間２１ａを介して連通し、また、第２流入口２３と第２吸気口１３も同様に本体ケース５ａのコーナ部分に形成される第２空間２１ｂを介して連通することとなり、本体ケース５ａ側面とこれら第１流入口２２、第２流入口２３を対向させて配置するものに比べて本体ケース５ａを小型化にすることができる。
【００３６】
さらに、本体ケース５ａの側面に第１吸気口１１、第１吐出口１２、本体ケース５ａの底面に第２吸気口１３、第２吐出口１４を設けたことで、熱交換器１７の第１流入口２２と第１吸気口１１、第２流入口２３と第２吸気口１３はそれぞれ本体ケース５ａのコーナ部分で第１空間２１ａと第２空間２１ｂを介して連通することができ、また、第１送風機１５の吐出口は第１吐出口１２へ、第２送風機１６の吐出口は第２吐出口１４へ対向させて配置することができ、これらは本体ケース５ａ内に特別な風路を設けることをなくして連通させることができるため、本体ケース５ａを小型化することができる。
【００３７】
本体ケース５ａ内に３個以上のひし形板体１８を本体ケースの５ａ底面から上面方向へ積層したひし形柱状に形成した熱交換器１７をその第３コーナ２７と第４コーナ２８を本体ケース５ａの正面と背面に接触させて配置して、また、第２コーナ２４から延設した仕切り板３０に対向させて、第１送風機吸込口３１と第２送風機吸込口３２を配置することで、本体ケース５ａ内に熱交換器１７の第１流出口２５と第２流出口２６から前記第１送風機吸込口３１および第２送風機吸込口３２へ連通する第１風路３３および第２風路３４が容易に形成され、特別に本体ケース５ａ内に空間を設けなくても第１風路３３と第２風路３４を形成することができるとともに、第１送風機吸込口３１は第１風路３３、第２送風機吸込口３２は第２風路３４から滑らかに空気を吸込むことができ、本体ケース５ａの大型化を防止して小型化が図れる。
【００３８】
また、第１コーナ２１、第２コーナ２４は、ひし形の鋭角とし、第２コーナ２４は、第１、第２送風機１５、１６間に突入させたものであり、第１送風機１５と第２送風機１６は、送風機本体部分を、それぞれ、残りのコーナである第４コーナ２８と第３コーナ２７側に向けて張り出して配置することができ、本体ケースを大きくしなくても、ファンの直径を大きくとることができる。
【００３９】
そして、送・受信機４が運転されると、キャビネット３内の空気の温度が上昇する。そこで、冷却ユニット５は、制御装置１７ａ（図示せず）の作用によって、第１送風機１５と第２送風機１６を運転させることとなる。図２に示すように、第１送風機１５の運転により、外気（第１環境）は、吸込ガラリ６からキャビネット３内に流入し、本体ケース５ａの側面を伝わって、第１吸気口１１から冷却ユニット５内へ入り、さらに第１流入口２２から第１流出口２５へと熱交換器１７内を通過して、この第１流出口２５から吹出し、第１送風機吸込口３１から第１送風機１５内へ吸込まれ、第１吐出口１２から本体ケース５ａの側面を伝わって、吐出ガラリ７から外気へ吹出されることとなる。また、キャビネット３内では、第２環境の空気は、第２送風機１６の作用により、吸込連通口９から第２吸気口１３を通って、第２流入口２３から第２流出口２６へ熱交換器１７内を通って、この第２流出口２６から吹出し、第２送風機吸込口３２へ吸い込まれ、第２吐出口１４から吐出連通口１０を通って、キャビネット３内（第２環境）へ吹出されることとなる。このとき、熱交換器１７の内部では、３枚以上のひし形板体１８を介して、外気（第１環境）とキャビネット３内（第２環境）の空気が熱交換されキャビネット３内の熱を外気（第１環境）側へ排出することとなり、キャビネット３内の温度を下げることができる。
【００４０】
上記のように基本的な作用を説明したが、さらに本実施の形態の作用効果を説明する。
【００４１】
すなわち、第１環境用の第１吸気口１１、第１環境用の第１吐出口１２、第２環境用の第２吸気口１３、第２環境用の第２吐出口１４を有する本体ケース５ａと、この本体ケース５ａ内に設けられた熱交換器１７と、この熱交換器１７により前記第１吸気口１１から吸い込んだ第１環境の空気と、前記第２吸気口１３から吸い込んだ第２環境の空気とを熱交換させる第１送風機１５、第２送風機１６とを備えている。前記熱交換器１７は、第１〜第３のひし形板体１８〜２０を所定間隔離して積層したひし形柱状形状とし、この熱交換器１７の第１コーナ２１に隣接する一方の辺を第１環境用の第１流入口２２、他方の辺を第２環境用の第２流入口２３とし、この第１コーナ２１に対向する第２コーナ２４に隣接する辺で、前記第２流入口２３側の辺を第１環境用の第１流出口２５とし、前記第１流入口２２側の辺を第２環境用の第２流出口２６とし、前記第２コーナ２４を挟んで第１流出口２５側に前記第１送風機１５を配置し、前記第２コーナ２４を挟んで第２流出口２６側に前記第２送風機１６を配置することで、一定の大きさの本体ケース５ａ内に第１環境用の風路と第２環境用の風路を容易に形成することができる。すなわち、冷却ユニット５の本体ケース５ａ内に、下方のキャビネット３内を略垂直方向に循環させる風路と、外気を略水平方向に通過させる風路の構成を容易に形成して通気抵抗の差を少なくして熱交換効率を向上させることができる。
【００４２】
特に、第１コーナ２１、第２コーナ２４は、ひし形の鋭角とし、第２コーナ２４は、第１送風機１５、第２送風機１６間に突入させたものであるから、第１送風機１５と第２送風機１６は、送風機本体部分を、それぞれ、第４コーナ２８と第３コーナ２７側に向けて張り出して配置することができ、ファンの直径を大きくとることができる。
【００４３】
また、第１流出口２５から第１送風機吸込口３１へ連通する第１風路３３と第２流出口２６から第２送風機吸込口３２へ連通する第２風路３４が熱交換器１７と仕切り板３０によって、仕切り板３０を第２コーナ２４から本体ケース５ａの側面へ向けて延設するだけで容易に形成することができる。
【００４４】
また、本体ケース５ａ内の第１、第２送風機１５、１６間に仕切り板３０を設けることで、第１流出口２５から第１送風機吸込口３１へ第１風路３３が形成され第１流出口２５から流出した外気は、この仕切り板３０の一方の面に沿って案内され流れることとなる。そして、仕切り板３０に対向した第１送風機吸込口３１から吸い込まれることとなる。また、同様に、第２送風機吸込口３２側にも第２風路３４が形成され、第２流出口２６から流出したキャビネット３内の空気は仕切り板３０の他方の面に沿って案内され流れることとなる。そして、この仕切り板３０に対向した第２送風機吸込口３２から吸い込まれることとなる。
【００４５】
また、熱交換器１７は、３枚以上のひし形板体１８を所定間隔離して本体ケース５ａの底面から上面方向へ積層したひし形柱状形状としたことで、本体ケース５ａ内の第１流入口２２と第２流入口２３は、第１空間２１ａと第２空間２１ｂへ開口する構成ができ、第１吸気口１１および第２吸気口１３から流入した空気は、これら第１空間２１ａおよび第２空間２１ｂでそれぞれ層流をなして熱交換器１７へ流入することができ大きな風量を得るこができる。
【００４６】
また、本体ケース５ａは、正面および背面の内部に内側板を等脚台形形状に形成し、その内側板を下広がりに傾斜させて形成したことで、その上部に開口した第１吐出口１２と第１吸気口１１はそれぞれ下方に配置した吐出ガラリ７と吸込ガラリ６へ側面の傾斜を伝わって空気を流すことができキャビネット３内の一定の大きさ内に冷却ユニットを配置して、外気（第１環境）を滑らかに冷却ユニット内へ吸気し、再び外気（第１環境）へ吹き出すことができる。さらに、本体ケース５ａは、内側板を下広がりに傾斜させて形成しているので、第１吸気口１１または第１吐出口１２から雨水が浸入してもこの傾斜面で雨水を取らえて下方に滴下させ、この傾斜面を吐出ガラリ７または吸込ガラリ６の下部に延設させることで、外気（第１環境）へ排出することができる。
【００４７】
また、第１送風機１５は、第２送風機１６よりも下側に配置することで、側面へ側の第１吐出口１２へ吹き出しが滑らかになる。また、第２送風機１６は、第１送風機１５よりも上側に配置することで、下面側の第２吐出口１４への吹出し気流が滑らかになる。このように第１、第２送風機１５、１６は、配置位置を調整することで吹出す側の空間を確保して、滑らかに空気を吹出すことができ、熱交換効率を向上させることができる。
【産業上の利用可能性】
【００４８】
本発明に係わる冷却ユニットとそれを用いた電子機器は、第１環境用の第１吸気口、第１環境用の第１吐出口、第２環境用の第２吸気口、第２環境用の第２吐出口を有する本体ケースと、この本体ケース内に設けられた熱交換器と、この熱交換器により前記第１吸気口から吸い込んだ第１環境の空気と、前記第２吸気口から吸い込んだ第２環境の空気とを熱交換させる第１、第２の送風機とを備え、前記熱交換器は、第１から第３のひし形板体を所定間隔離して積層したひし形柱状形状とし、この熱交換器の第１のコーナに隣接する一方の辺を第１環境用の第１流入口、他方の辺を第２環境用の第２流入口とし、この第１のコーナに対向する第２のコーナに隣接する辺で、前記第２流入口側の辺を第１環境用の第１流出口とし、前記第１流入口側の辺を第２環境用の第２流出口とし、前記第２のコーナを挟んで第１流出口側に前記第１送風機を配置し、前記第２のコーナを挟んで第２流出口側に前記第２送風機を配置したものであり、小型化をした冷却ユニットとそれを用いた電子機器を提供するものであるので、冷却ユニットとそれを用いた電子機器等として有用である。
【符号の説明】
【００４９】
１      電信柱
１ａ    上部
２      基地局
３      キャビネット
４      送・受信機
５      冷却ユニット
５ａ    本体ケース
６      吸込ガラリ
７      吐出ガラリ
８      分離板
９      吸込連通口
１０    吐出連通口
１１    第１吸気口
１２    第１吐出口
１３    第２吸気口
１４    第２吐出口
１５    第１送風機
１６    第２送風機
１７    熱交換器
１７ａ  制御装置
１８    ３枚以上のひし形板体
２１    第１コーナ
２１ａ  第１空間
２１ｂ  第２空間
２２    第１流入口
２３    第２流入口
２４    第２コーナ
２５    第１流出口
２６    第２流出口
２７    第３コーナ
２８    第４コーナ
３０    仕切り板
３１    第１送風機吸込口
３２    第２送風機吸込口
３３    第１風路
３４    第２風路
【図１】
2010251451.tif 000003
【図２】
2010251451.tif 000004
【図３】
2010251451.tif 000005
【図４】
2010251451.tif 000006
【図５】
2010251451.tif 000007
【図６】
2010251451.tif 000008